(57)【特許請求の範囲】
【請求項１】
長尺帯状の剥離台紙の剥離剤層側に、
中間基材の片面に剥離剤層、他面に第１の粘着剤層を設けた中間ラベルと、
ラベル基材および第２の粘着剤層からなる表層ラベルとをこの順に積層し、ラベルプリンタで印字可能な情報保護ラベルであって、
前記表層ラベルのラベル基材にはハーフカットが施され、
表層ラベルはハーフカットによって区画形成された複数の独立エリアと、独立エリア以外で互いにつながった網状エリアとからなる海島構造に形成されており、
前記独立エリアの配列方向は情報保護ラベルの印字方向にも幅方向にも非平行であり、該網状エリアの連なり方向も情報保護ラベルの印字方向にも幅方向にも非平行であるとともに、
前記表層ラベルは、網状エリアのみを選択的に中間ラベルから剥離可能であることを特徴とする情報保護ラベル。
【請求項２】
長尺帯状の剥離台紙の剥離剤層側に、中間基材の片面に剥離剤層、他面に第１の粘着剤層を設けた中間ラベルと、ラベル基材および第２の粘着剤層からなる表層ラベルとをこの順に積層し、
前記表層ラベルにハーフカットを施して区画形成された複数の独立エリアと、独立エリア以外で互いにつながった網状エリアとからなる海島構造に形成され、
前記独立エリアの配列方向は情報保護ラベルの印字方向にも幅方向にも非平行であり、該網状エリアの連なり方向も情報保護ラベルの印字方向にも幅方向にも非平行である情報保護ラベルに
ラベルプリンタで情報を印字する工程と、
印字した情報保護ラベルから中間ラベルおよび表層ラベルの積層体を被着体に貼る工程と、
被着体に貼った情報保護ラベルのうち表層ラベルの網状エリアを選択的に剥離する工程と、
剥離した網状エリアの露出した第２の粘着剤層でランダムに貼付き合わせる工程と、
を含むことを特徴とする情報保護ラベルの使用方法。
【発明の詳細な説明】
【技術分野】
【０００１】
本発明は文字や図柄やバーコード等の情報を記録可能なラベルに関し、特に、使用後に記録された情報を判読できなくする情報漏洩防止能を有するラベルに関する。
【背景技術】
【０００２】
ラベルは台紙、粘着剤層、ラベル基材がこの順に積層されたもので、ラベルプリンタで文字、図柄、バーコードなどの情報を印字した後、様々な物品やその梱包箱に貼り付けて使用される。情報には個人の氏名、住所、電話番号のような個人情報が記録される場合も多い。この他、注文の内容や納品書、請求書等の情報が記録してあることもある。
【０００３】
例えば、商品の梱包箱に配送ラベルを貼り付けた場合、商品が配送先に着いた後は、その配送ラベルは役目を終えるが、配送ラベルは梱包箱の表面に留まり、記録された住所、氏名、電話番号などの個人情報は配送ラベルにそのまま残る。商品の梱包箱を廃棄すれば、配送ラベルが梱包箱に付いたまま第三者の手に渡り、悪用される恐れもある。
【０００４】
個人情報が記録された配送ラベルを剥がし、焼却したりシュレッダーで裁断すれば個人情報の漏洩を防ぐことができるが、ラベルの剥がし取りは容易でない。また、剥がしたラベルを焼却したりシュレッダーにかける手間がかかる。剥がすことを想定した再剥離ラベルを用いれば剥がす作業は楽になるものの、この場合でも焼却や裁断の作業は必要である。
【０００５】
近年では記録された文字部分に重ねて不規則な模様をスタンプ印字して文字を読めなくする捺印器具が使われている。しかし、スタンプインクの浸透性が文字とそれ以外の部分とで異なり、文字にスタンプした部分とそれ以外の部分との光反射率の差から文字を判読されてしまうこともある。また、合成樹脂フィルムのようにスタンプインクが染み込まないラベル基材には適していない。
【先行技術文献】
【特許文献】
【０００６】
【特許文献１】特開２０１０−８５６３５号公報
【発明の概要】
【発明が解決しようとする課題】
【０００７】
本発明は上記の問題を解決するためになされたもので、ラベルプリンタで印字したラベルの情報を簡単に判読不能にできる情報保護ラベルおよび情報保護ラベルの使用方法を提供することを課題とする。
【課題を解決するための手段】
【０００８】
本発明者らは、多層ラベルの表層のラベルにハーフカットを施し、表層ラベルを網状に剥離して網状部分と残りの部分とに分けることに着目し、本発明を完成するに至った。
即ち本発明の情報保護ラベルは、長尺帯状の剥離台紙の剥離剤層側に、中間基材の片面に剥離剤層、他面に第１の粘着剤層を設けた中間ラベルと、ラベル基材および第２の粘着剤層からなる表層ラベルとをこの順に積層し、ラベルプリンタで印字可能な情報保護ラベルであって、前記表層ラベルのラベル基材にはハーフカットが施され、表層ラベルはハーフカットによって区画形成された複数の独立エリアと、独立エリア以外で互いにつながった網状エリアとからなる海島構造に形成されており、前記独立エリアの配列方向は情報保護ラベルの印字方向にも幅方向にも非平行であり、該網状エリアの連なり方向も情報保護ラベルの印字方向にも幅方向にも非平行であるとともに、前記表層ラベルは、網状エリアのみを中間ラベルから剥離可能であることを特徴としている。
また、本発明の情報保護ラベルの使用方法は、長尺帯状の剥離台紙の剥離剤層側に、中間基材の片面に剥離剤層、他面に第１の粘着剤層を設けた中間ラベルと、ラベル基材および第２の粘着剤層からなる表層ラベルとをこの順に積層し、前記表層ラベルにハーフカットを施して区画形成された複数の独立エリアと、独立エリア以外で互いにつながった網状エリアとからなる海島構造に形成され、前記独立エリアの配列方向は情報保護ラベルの印字方向にも幅方向にも非平行であり、該網状エリアの連なり方向も情報保護ラベルの印字方向にも幅方向にも非平行である情報保護ラベルにラベルプリンタで情報を印字する工程と、印字した情報保護ラベルから中間ラベルおよび表層ラベルの積層体を被着体に貼る工程と、被着体に貼った情報保護ラベルのうち表層ラベルの網状エリアを剥離する工程と、を含むことを特徴としている。
表層ラベルにはサーマル紙を用いることができる。
【発明の効果】
【０００９】
本発明の情報保護ラベルは、表層ラベルがハーフカットで区画された独立エリアと、独立エリア以外で互いにつながった網状エリアとからなる海島構造になっている。ラベルプリンタを用いて島に相当する独立エリアと、海に相当する連続エリアとにまたがって情報を印字し、情報を印字した表層ラベルを中間基材とともに所望の被着体に貼り付けることができる。さらに、表層ラベルと中間ラベルとの積層体から表層ラベルのみを選択的に剥離できるため、網状エリア表面の情報が剥ぎ取られ、残った独立エリア表面の情報が判読不可能または判読困難になる。一方、剥離した網状エリアも情報が各所で欠落しており、判読不可能または判読困難である。さらに、剥離後の網状エリアは粘着剤層が露出した状態であり、手で丸めれば互いにランダムに貼り付き合い、文字の判読がさらに困難になって情報漏洩が防止される。
【００１０】
本発明の情報保護ラベルの使用方法によれば、情報を印字したラベルを被着体に貼り付けて使用し、ラベルとしての役割を終えた後、表層ラベルの網状エリアだけを中間ラベルから剥離することにより、網状エリアに印字された情報が剥ぎ取られ、独立エリアに印字された情報が分離される。被着体上に残る独立エリアの情報は断片的になり、意味のある文字や画像情報として判読できなくなる。情報がバーコードである場合は、バーの一部が欠損してバーコードとして読み取り不能になる。
剥離した網状エリアと、被着体に残留した独立エリアを一緒に廃棄しても情報漏洩は防止されるが、それらを別々に廃棄すれば情報漏洩防止効果がさらに高まる。
ここで、独立エリアはラベルの印字方向に対しても幅方向に対しても非平行に配列しており、残余の部分である網状エリアの連なりも同じくラベルの印字方向に対しても幅方向に対しても平行ではない。従って、網状エリアを剥離した後、独立エリアの情報も網状エリアの情報も飛び飛びで断片的になり、例えば文字情報が行単位でまとまることはなく、判読が益々困難になる。
【図面の簡単な説明】
【００１１】
【図１】本発明の情報保護ラベルの一実施形態を示す平面図およびそのｂ−ｂ線断面図。
【図２】本発明の情報保護ラベルに情報を印字するラベルプリンタを説明する概略側面図。
【図３】本発明の情報保護ラベルに文字情報を印字した状態を示す平面図。
【図４】本発明の情報保護ラベルの使用方法を表す説明図。
【図５】本発明の情報保護ラベルから表層ラベルの網状エリアを剥離した状態を表す平面図およびそのｂ−ｂ線断面図。
【発明を実施するための形態】
【００１２】
本発明は情報保護ラベルを構成する複数層のうち、表面の表層ラベルを個々に区画された独立エリアと、それ以外の部分が繋がった網状エリアとに分割できるようにハーフカットしておき、ラベルとしての役割を終えた後に網状エリアのみを剥がすことで表面の情報等を断片化させ、判読を困難にする情報保護ラベルおよび情報保護ラベルの使用方法を実現した。
【実施例】
【００１３】
次に本発明の実施例による情報保護ラベルおよび情報保護ラベルの使用方法を図１〜図５に基づき説明する。
図１（ａ）は情報保護ラベル１の平面図、同図（ｂ）はそのｂ−ｂ線断面図である。
情報保護ラベル１は、剥離台紙２と、中間ラベル３と、表層ラベル４をこの順に積層したものである。剥離台紙２は基材５およびその表面に設けた剥離剤層６で構成される。中間ラベル３は、中間基材７の表面に剥離剤層８、裏面に第１の粘着剤層９を設けたものである。表層ラベル４はラベル基材１０として紙に感熱発色層を塗設したサーマル紙を用い、その裏面に第２の粘着剤層１１を設けたものである。
【００１４】
表層ラベル４のラベル基材１０にはハーフカット１３が施してあり、表層ラベル４全体がハーフカット１３によって区画された複数の島状の独立エリア１４と、独立エリア以外の残余の部分が互いにつながった網状エリア１５とからなる海島構造になっている。島に相当する独立エリア１４と、海に相当する網状エリア１５とにまたがって情報を記録し、情報を記録した表層ラベル４を中間ラベル３とともに所望の被着体に貼り付けることができる。
【００１５】
独立エリア１４の形状と大きさは任意であるが、ラベルに表示される文字や数字の大きさを考慮すると、直径２０ｍｍの円に収まる程度であることが望ましい。例えば、一辺が３〜５ｍｍの正方形、菱形や、５ｍｍ×２０ｍｍの長方形、直径３〜８ｍｍの円が挙げられる。独立エリア１４が小さすぎる場合は漏洩防止効果が低減したり、網状エリア１５を剥離する際に一緒に剥がれてしまう恐れがある。独立エリア１４が大きい場合は、一つの独立エリア１４にある文字数が増え、情報が判読されるリスクが高まる。
【００１６】
独立エリア１４は、複数の異なる形状を組み合わせても良い。大きさが異なっても良い。また、独立エリア１４が長方形や菱形や楕円のような長手方向と短手方向とを有する形状の場合、その向き（例えば、印字方向Ｔと長方形の長辺の向きとがなす角）は任意である。独立エリア１４の向きが一個ずつ異なっていても良い。
【００１７】
独立エリア１４は表層ラベル４全体に均等に分布させても偏って分布させても良い。各独立エリア１４の配列は、ランダムでも規則性を持たせても良い。ただし、直線的に配列させる場合は、情報保護ラベル１の印字方向Ｔとも幅方向とも平行にならないように並べる。ラベルに印字される文字は、漢字、かな、英数字等の文字種を問わず、さらには、縦書き、横書きを問わず、情報保護ラベル１の印字方向Ｔか幅方向と平行に並ぶ。独立エリア１４の配列が情報保護ラベル１の印字方向Ｔまたは幅方向と平行である場合は、網状エリア１５に文字情報が行単位や列単位に記録されて収まってしまい、剥離した網状エリア１５から情報が読み取られてしまう。また、網状エリア１５を剥離した後、飛び石状に残った独立エリア１４の文字からも、文字を繋ぎ合わせて情報を解読し易くなる。
【００１８】
網状エリア１５の幅は任意であるが、実質的に独立エリア１４同士の間隔であり、独立エリア１４の形状、大きさ、配列に依存する。網状エリア１５の幅は概ね一定になる場合も幅が不均一になる場合もあるが、３〜２０ｍｍであることが望ましい。３ｍｍ未満の場合は網状エリア１５を剥離する際に切れ易く、取り扱いが難しくなる。網状エリア１５の幅が広く２０ｍｍを越える場合は、網状エリア１５に同一行や列の文字が連なって存在する確率が上昇して情報が判読されるリスクが高まり、文字情報の漏洩防止効果が低下する。
【００１９】
情報保護ラベル１に一枚ごと異なる情報を書き込む場合は、図２に示すラベルプリンタ５０を使用する。情報保護ラベル１のラベル連続体を巻回して図２に示すラベルロール１ａを作成し、ラベルプリンタ５０にセットして表層ラベル４に印字を行う。以下、ラベルプリンタで可変情報を印字する様子を説明する。
【００２０】
図２に示すラベルプリンタ５０は、ロール紙供給部５１と印字部６１を筐体５２内に設けたものである。ロール紙供給部５１の軸５５にはラベルロール１ａが回転可能に支持され、情報保護ラベル１の走行経路に沿って、ガイドバー５６、情報保護ラベル１の連続体の有無を検知する用紙センサ５７、ラベルのインターバルを検出するピッチセンサ５８が取り付けられている。その下流の印字部６１は、プラテンローラ６２と、前記プラテンローラ６２とともに情報保護ラベル１の連続体を押圧保持するサーマルヘッド６３、それらの下流のカッタユニット６４で構成される。筐体５２には、カッタユニット６４に隣接して発行口６５が設けられている。
【００２１】
プラテンローラ６２が回転すると、ラベルロール１ａから巻き出された情報保護ラベル１の連続体は、ガイドバー５６、用紙センサ５７、ピッチセンサ５８を経て印字部６１に至り、各情報保護ラベル１の表層ラベル４にサーマルヘッド６３の発熱走査で文字等の情報が印字される。印字が行なわれた情報保護ラベル１は、連続したまま、あるいは、カッタユニット６４でカットされて発行口６５から外部に至り、図３に示す情報保護ラベル１が発行される。情報保護ラベル１を郵便の宛名ラベルとして用いた場合、表層ラベル４には住所、氏名や電話番号等の情報１６が独立エリア１４と網状エリア１５とに跨って印字される。荷札や伝票として使用する場合は、先の情報１６に加えて企業名や発送元の情報、品名や、各情報に対応したバーコード等が印字される。このようにして印字発行した情報保護ラベル１は、表層ラベル４と中間ラベル３とを一体に剥離台紙２から剥がし、中間ラベル３の第１の粘着剤層９で図４に示す被着体２０（封筒、袋、梱包箱等）に貼り付ける。
【００２２】
被着体２０に貼り付けた情報保護ラベル１がその役割を終えた後、即ち、宛名ラベルや伝票ラベルとして配達された後、情報保護ラベル１は専ら被着体２０と一緒に廃棄されが、被着体２０を廃棄する前に情報保護ラベル１の情報１６を判読出来なくする必要がある。そこで図４に示すように、先ず中間ラベル３と表層ラベル４との積層体から網状エリア１５を剥離する。網状エリア１５は表層ラベル４全面に網のように広がっており、それを剥離することによって網状エリア１５表面の情報が剥ぎ取られて行く。
【００２３】
網状エリア１５を剥離した後は、図５に示すように中間ラベル３上には複数の独立エリア１４が残る。各独立エリア１４の表面にも残留情報１６ａとして文字などが残るが、それらは断片的になっており、元々の情報１６を判読することは困難である。情報１６がバーコードである場合は、バーの一部が欠損するために読み取り不能になる。
【００２４】
一方、剥離した網状エリア１５にも情報が印字されているが、中間ラベル３上に独立エリア１４が留まったことにより情報が各所で欠落した虫食い状態になっており、元の情報を判読することは困難である。さらに、剥離後の網状エリア１５は第２の粘着剤層１１がむき出しであり、手で丸めるだけでランダムに貼り付き合い、文字の判読がさらに困難になって情報漏洩が防止される。このように本発明の情報保護ラベル１は、シュレッダーなどの機器を用いずとも情報を分断し、情報の漏洩を防止可能である。
【００２５】
剥離した網状エリア１５と、被着体２０に残留した独立エリア１４を一緒に廃棄しても情報漏洩は防止されるが、それらを別々に廃棄すれば情報漏洩防止効果が高まる。被着体２０に残った独立エリア１４を個々に剥がして廃棄すればさらに情報漏洩防止効果が高められる。
【００２６】
独立エリア１４の配列や網状エリア１５の連なりは、情報保護ラベル１の印字方向Ｔに対しても幅方向に対しても非平行に設定してある。ラベル表面の文字情報は、縦書きであっても横書きであっても、ラベルの印字方向Ｔまたは幅方向と平行に文字が並ぶため、網状エリア１５を剥離した後、独立エリア１４や網状エリア１５にまとまった数の文字が行単位で残留することがない。従って文字が意味をなさず、読み取られる恐れがなくなる。
【００２７】
なお、先の実施例では表層ラベル４として紙に感熱発色層を塗設したサーマル紙を用いたが、種類や材質を限定するものではなく、ＰＰを主成分とする合成紙をベースにした合成紙サーマルでも良い。また、感熱発色方式以外にも熱転写方式も使用可能である。この場合、ラベルの基材として一般的に用いられているものが使用可能である。例えば、上質紙、コート紙、アート紙のような紙基材、ＰＥＴ（ポリエチレンテレフタレート）、ＰＥ（ポリエチレン）、ＰＰ（ポリプロピレン）、ＰＳ（ポリスチレン）を素材とした合成樹脂フィルムや、前記の合成樹脂を複数種組み合わせたシート、合成樹脂フィルムと紙とを合わせた複合シートも使用できる。
【００２８】
第１の粘着剤層９および第２の粘着剤層１１の粘着剤は、例えば、エマルジョン系（粘着剤を水に分散したもの）、ソルベント系（粘着剤を溶剤に溶解したもの）、ホットメルト系（熱可塑性を利用したもの）等である。材質としては、合成ゴム系や天然ゴム系、アクリル樹脂系、ポリビニルエーテル樹脂系、ウレタン樹脂系、シリコーン樹脂系等の粘着剤があげられる。粘着剤の粘着力は任意である。
【００２９】
また、先の実施例では一枚の情報保護ラベル１全体を一つの網状エリア１５としたが、情報保護ラベル１を分割し、複数の網状エリアに分けてそれぞれ剥離する構成にしても構わない。
【符号の説明】
【００３０】
１  情報保護ラベル
１ａ  ラベルロール
２  剥離台紙
３  中間ラベル
４  表層ラベル
５  基材
６  剥離剤層
７  中間基材
８  剥離剤層
９  第１の粘着剤層
１０  ラベル基材
１１  第２の粘着剤層
１３  ハーフカット
１４  独立エリア
１５  網状エリア
１６  情報
１６ａ  残留情報
２０  被着体
５０  ラベルプリンタ
５１  ロール紙供給部
５２  筐体
５５  軸
５６  ガイドバー
５７  用紙センサ
５８  ピッチセンサ
６１  印字部
６２  プラテンローラ
６３  サーマルヘッド
６４  カッタユニット
６５  発行口
Ｔ  印字方向
【図１】
0006025336.tif 000002
【図２】
0006025336.tif 000003
【図３】
0006025336.tif 000004
【図４】
0006025336.tif 000005
【図５】
0006025336.tif 000006